Podtech/llm-jp-corpus-v4-ja_patent huggingface dataset:
【手続補正書】
【提出日】平成17年6月20日(2005.6.20)
【手続補正１】
【補正対象書類名】明細書
【補正対象項目名】特許請求の範囲
【補正方法】変更
【補正の内容】
【特許請求の範囲】
【請求項１】
筐体内に配置された、試料を照明するための照明部と、対物レンズ部と、試料を搭載するためのステージと、前記試料像を撮像するための撮像部と、制御部とを有し、前記筐体に設けられたスリット状の開口から前記試料を出し入れする顕微鏡において、
前記対物レンズ部は、倍率の異なる複数の対物レンズと、該複数の対物レンズのうちの一つを選択的に前記ステージと対向させるための切り換え駆動部とを含み、
前記ステージは、前記試料を搭載するトレイ部と、前記トレイ部を前記筐体の前記開口から外部に突出させる動作および前記外部から前記筐体内に引き込む動作を行うトレイ駆動部とを含み、
前記制御部は、前記トレイ部を前記筐体の外部に突出させる指示または外部から前記筐体の内部に引き込む指示を受けた場合、前記切り換え駆動部を制御して前記複数の対物レンズのうち現在配置されている対物レンズよりも倍率の低い対物レンズを前記ステージの観察位置に配置させ、その後、前記トレイ駆動部を制御して前記トレイ部を前記筐体の外部に突出させる動作または外部から前記筐体の内部に引き込む動作を行わせることを特徴とする顕微鏡。
【請求項２】
請求項１に記載の顕微鏡において、前記倍率の低い対物レンズは、前記複数の対物レンズのうち最も倍率の低いものであることを特徴とする顕微鏡。
【請求項３】
請求項１ないし２のいずれか１項に記載の顕微鏡において、前記制御部は、前記トレイ部を前記筐体の外部に突出させる指示を受けた場合、前記トレイ駆動部を制御して前記トレイ部を前記筐体の外部に突出させた後、前記照明部を消灯させることを特徴とする顕微鏡。
【請求項４】
請求項１ないし３のいずれか１項に記載の顕微鏡において、前記筐体内に配置された、前記試料を照明するための照明部と、前記トレイ部に試料が搭載されているかどうかを検出するための検出部とをさらに有し、
前記制御部は、前記トレイ部を前記筐体の外部から引き込む指示を受けた場合、前記検出部が前記トレイ部に試料が搭載されていることを検出したならば、前記照明部を点灯させることを特徴とする顕微鏡。
【請求項５】
対物レンズ部と、試料を搭載するためのステージと、接眼レンズ部と、制御部と、操作部とを有し、
前記対物レンズ部は、倍率の異なる複数の対物レンズと、該複数の対物レンズのうちの一つを選択的に前記ステージの観察位置に配置させるための対物レンズ切り換え駆動部とを含み、
前記ステージは、前記試料を搭載するための試料搭載部と、前記搭載部を前記対物レンズの下部の観察位置から外側へ引き出す動作および前記外側から前記対物レンズの下部の観察位置へ引き込む動作を行うステージ駆動部とを含み、
前記操作部が、前記試料搭載部を外側へ引き出す指示または外側から引き込む指示を受けた場合、前記制御部は、前記切り換え駆動部を制御して前記複数の対物レンズのうち現在配置されている対物レンズよりも倍率の低い対物レンズを前記ステージの観察位置に配置させ、その後、前記ステージ駆動部を制御して前記試料搭載部を外側へ引き出す動作または外側から引き込む動作を行わせることを特徴とする顕微鏡。
【請求項６】
対物レンズ部と、試料を搭載するためのステージと、接眼レンズ部と、制御部と、操作部とを有し、
前記対物レンズ部は、倍率の異なる複数の対物レンズと、該複数の対物レンズのうちの一つを選択的に前記ステージの観察位置に配置させるための対物レンズ切り換え駆動部とを含み、
前記ステージは、前記試料を搭載するための試料搭載部と、前記搭載部を前記対物レンズの下部の観察位置から外側へ引き出す動作および前記外側から前記対物レンズの下部の観察位置へ引き込む動作を行うステージ駆動部と、前記ステージを上下動させる電動の機構部と、を含み、
前記操作部が、前記試料搭載部を外側へ引き出す指示または外側から引き込む指示を受けた場合、前記制御部は、前記機構部の動作を行わせることを特徴とする顕微鏡。
【手続補正２】
【補正対象書類名】明細書
【補正対象項目名】０００３
【補正方法】変更
【補正の内容】
【０００３】
【発明が解決しようとする課題】
一般的な顕微鏡では、プレパラートをステージに搭載する際には、プレパラートと対物レンズとが接触するのを防ぐために、ユーザは、対物レンズを低倍率の対物レンズに切り換え、さらに可能な場合には、ステージをｚ方向（対物レンズの光軸方向）に移動させ、対物レンズとの間隔を広げる操作を行っている。しかしながら、このように接触を防ぐための操作は面倒である。更に、上記特開平８−２７１７９４号公報に記載されているような直方体の密閉ハウジング内にすべての光学系が収容された顕微鏡では、ユーザは、試料の観察位置にどの対物レンズが選択されているか、外見では判断することができない。例えば、プレパラートを交換した際、交換前よりも厚いプレパラートを搭載した場合、対物レンズ先端と交換後のプレパラート表面との間隔はプレパラートの交換前よりも接近することになる。このような状態でプレパラートをハウジング内に挿入すると、対物レンズ先端がプレパラート表面に接触する可能性がある。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】変更
【補正の内容】
【００１０】
上記顕微鏡において、前記筐体内に配置された、前記試料を照明するための照明部と、前記トレイ部に試料が搭載されているかどうかを検出するための検出部とをさらに有する構成にすることができ、この場合、前記制御部は、前記トレイ部を前記筐体の外部から引き込む指示を受けた場合、前記検出部が前記トレイ部に試料が搭載されていることを検出したならば、前記照明部を点灯させる構成にすることができる。
【手続補正書】
【提出日】平成16年10月14日(2004.10.14)
【手続補正１】
【補正対象書類名】明細書
【補正対象項目名】００２４
【補正方法】変更
【補正の内容】
【００２４】
また、ＡＣＦテープの貼付け状態の検査は、アライメントマーク周辺部分をＣＣＤカメラで撮影し、画像処理装置により撮影画像が検査対象の基準かどうかを判断し、パネルテーブルを移動させて液晶パネルのアライメントマークを画像中心に合わせる。
【手続補正２】
【補正対象書類名】明細書
【補正対象項目名】００２５
【補正方法】変更
【補正の内容】
【００２５】
次に、画像処理装置により、ＣＣＤカメラで撮影した画像を基に、２５６階調の輝度を基準の輝度を境に二つの輝度に振り分け、画像を２値化（白黒化）し、所要数の検査枠を設定して検査枠内に斑点状に映った導電粒子の斑点面積、塊数を基準と照らし合わせ、ＡＣＦテープの有無の判定を行なうものである。
【手続補正３】
【補正対象書類名】明細書
【補正対象項目名】００３８
【補正方法】変更
【補正の内容】
【００３８】
また、仮圧着後のＡＣＦテープ１２の貼付け状態の検査は、光源４３からの透過光を利用してアライメントマーク６、１１の周辺部分をＣＣＤカメラ４４で撮影し、その画像を画像処理装置が２５６階調で認識し、その画像が検査対象の基準かどうかを判断することで、パネルテーブルを移動させて液晶パネルのアライメントマークを画像中心に合わせる。
【手続補正４】
【補正対象書類名】明細書
【補正対象項目名】００３９
【補正方法】変更
【補正の内容】
【００３９】
更に、２５６階調の輝度を基準の輝度を境に二つの輝度に振り分け、画像を２値化（白黒化）し、所要数の検査枠を設定する。
【手続補正５】
【補正対象書類名】明細書
【補正対象項目名】００４０
【補正方法】変更
【補正の内容】
【００４０】
検査枠内に斑点状に映った導電粒子の斑点面積、塊数を基準と照らし合わせ、ＡＣＦテープの有無の判定を行なうものである。
【手続補正６】
【補正対象書類名】明細書
【補正対象項目名】００４６
【補正方法】変更
【補正の内容】
【００４６】
先ず、ＦＰＣ７と液晶パネル１のアライメントマーク６、１１の位置合わせは、図５のように、ハロゲンランプ、紫外光、キセノンランプ等のファイバー照明４７を光源として、必要に応じ透過光を照射する光源４３を補助的に併用しながら、吸着ツール２３を、吸着保持したＦＰＣ７のアライメントマーク１１がＣＣＤカメラ４４のピントが合う位置まで下降させる。
【手続補正７】
【補正対象書類名】明細書
【補正対象項目名】００４７
【補正方法】変更
【補正の内容】
【００４７】
これらを光源としてＣＣＤカメラ４４で撮影して、このアライメントマーク１１を確認し、位置認識した後、吸着ツール２３を上昇位置にまで退避させ、続いて、パネルテーブル３８上に液晶パネル１を供給し、パネルテーブル３８を前進させて液晶パネル１の電極５を設けた部分を透明の受台３９上に臨ませ、この状態でＣＣＤカメラ４４の撮影により液晶パネル１のアライメントマーク６を検出し、図９のように、この検出信号に基づいてパネルテーブル３８を移動させることにより、アライメントマーク６、６′の位置補正を行い、液晶パネル１のアライメントマーク６、６′を認識しておいたＦＰＣ７のアライメントマーク１１、１１′に一致させる。
【手続補正８】
【補正対象書類名】明細書
【補正対象項目名】００５１
【補正方法】変更
【補正の内容】
【００５１】
更に、２５６階調の輝度を基準（任意、自動設定可）の輝度を境に二つの輝度に振り分け、画像を２値化（白黒化）し、必要に応じ複数の検査枠Ｃ、Ｃ′を設定する。
【手続補正９】
【補正対象書類名】明細書
【補正対象項目名】００５２
【補正方法】変更
【補正の内容】
【００５２】
検査枠Ｃ内において、斑点状に映った導電粒子の斑点面積、塊数を基準と照らし合わせ、ＡＣＦテープ１２の有無の判定を行なうものであり、図１１はＡＣＦテープ１２、１２′が正常に貼付けられているときの２値化画像を示し、斑点状の画像になっているのに対し、図１２はＡＣＦテープ１２、１２′が正常に貼付けられていない部分が、白色無地の画像になっている。
【手続補正書】
【提出日】平成17年6月16日(2005.6.16)
【手続補正１】
【補正対象書類名】明細書
【補正対象項目名】発明の名称
【補正方法】変更
【補正の内容】
【発明の名称】液晶表示装置
【手続補正２】
【補正対象書類名】明細書
【補正対象項目名】特許請求の範囲
【補正方法】変更
【補正の内容】
【特許請求の範囲】
【請求項１】
液晶を介して対向配置された各基板のうち一方の基板の液晶側の面に、並設された複数のゲート信号線とこれら各ゲート信号線に交差して並設された複数のドレイン信号線とが形成され、
これら各信号線に囲まれた画素領域に、前記ゲート信号線からの走査信号によって動作されるスイッチング素子と、このスイッチング素子を介して前記ドレイン信号線からの映像信号が供給される画素電極とを有し、
該画素電極は画素領域のほぼ全域にわたって形成されているとともに、他方の基板の液晶側の面に形成された対向電極との間に電界を生じせしめるように構成され、
前記画素電極は、前記画素領域において前記ゲート信号線又は前記ドレイン信号線の何れの延伸方向とも非平行な直線状のスリットにより複数に分割されていることを特徴とする液晶表示装置。
【請求項２】
請求項１の液晶表示装置において、
前記画素電極は、少なくとも３分割されていることを特徴とする液晶表示装置。
【請求項３】
請求項１又は２に記載の液晶表示装置において、
複数に分割された前記画素電極は、隣接する領域の画素電極と狭隘部を介して互いに接続されていることを特徴とする液晶表示装置。
【請求項４】
請求項１から３の何れか一項に記載の液晶表示装置において、
前記狭隘部は、遮光膜と重畳して構成されていることを特徴とする液晶表示装置。
【請求項５】
請求項１から４の何れか一項に記載の液晶表示装置において、
複数に分割された前記画素電極は、前記画素領域に配置された一つのスイッチング素子により共通に駆動されていることを特徴とする液晶表示装置。
【請求項６】
請求項１から５の何れか一項に記載の液晶表示装置において、
前記狭隘部は、前記ゲート信号線の延伸方向と同じ方向に延伸されていることを特徴とする液晶表示装置。
【請求項７】
請求項１から６の何れか一項に記載の液晶表示装置において、
前記狭隘部は、それによって接続される材料とは異なる材料で形成されていることを特徴とする液晶表示装置。
【請求項８】
液晶を介して対向配置された各基板のうち一方の基板の液晶側の面に、並設された複数のゲート信号線とこれら各ゲート信号線に交差して並設された複数のドレイン信号線とが形成され、
これら各信号線に囲まれた画素領域に対応して、前記ゲート信号線からの走査信号によって動作されるスイッチング素子と、このスイッチング素子を介して前記ドレイン信号線からの映像信号が供給される透明電極とを有し、
該透明電極は画素領域のほぼ全域にわたって形成されているとともに、他方の基板の液晶側の面に形成された対向電極との間に電界を生じせしめるように構成され、
前記透明電極は、前記画素領域に対応して前記ゲート信号線又は前記ドレイン信号線の何れの延伸方向とも非平行な直線状のスリットにより複数に分割されていることを特徴とする液晶表示装置。
【請求項９】
請求項８の液晶表示装置において、
複数に分割された前記透明電極は、狭隘部を介して互いに接続されていることを特徴とする液晶表示装置。
【請求項１０】
請求項９の液晶表示装置において、
前記狭隘部は、遮光膜と重畳して構成されていることを特徴とする液晶表示装置。
【請求項１１】
請求項９又は１０の液晶表示装置において、
前記狭隘部は、前記ゲート信号線の延伸方向と平行な方向に伸びていることを特徴とする液晶表示装置。
【請求項１２】
請求項９から１１の何れか一項に記載の液晶表示装置において、
複数に分割された前記透明電極は、前記ドレイン信号線の延伸方向と平行な方向に延伸し、分割された前記透明電極間を接続する別の狭隘部を有することを特徴とする液晶表示装置。
【請求項１３】
請求項８から１２の何れか一項に記載の液晶表示装置において、
前記透明電極は、少なくとも３分割されていることを特徴とする液晶表示装置。
【請求項１４】
請求項８から１３の何れか一項に記載の液晶表示装置において、
複数に分割された前記透明電極は、前記画素領域に対応して配置された一つのスイッチング素子により共通に駆動されることを特徴とする液晶表示装置。
【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
１以上のアイコンを、ネットワーク上の情報が配置されている位置と対応付けて記憶する記憶手段と、
前記記憶手段により記憶された１以上の前記アイコンを表示する表示手段と、
前記表示手段により表示された１以上の前記アイコンのそれぞれに対応付けられた前記位置の更新情報を取得する取得手段と、
前記取得手段により取得された前記更新情報を前記表示手段に表示させる制御手段と
を備えることを特徴とする情報処理装置。
【請求項２】
前記記憶手段は、前記位置と対応付けられたアイコンと共に、メーラと対応付けられたアイコンを記憶し、
前記取得手段は、新規に受信された電子メールの有無を示すメール情報を取得し、
前記制御手段は、前記更新情報と共に、前記メール情報を前記表示手段に表示させる
ことを特徴とする請求項１に記載の情報処理装置。
【請求項３】
前記アイコンは、３次元画像のアイコンである
ことを特徴とする請求項１に記載の情報処理装置。
【請求項４】
前記位置は、Webサイトである
ことを特徴とする請求項１に記載の情報処理装置。
【請求項５】
前記記憶手段は、３次元仮想空間の画像、および前記３次元仮想空間上における前記アイコンの配置を記憶し、
前記制御手段は、前記表示手段に、前記記憶手段により記憶された前記３次元仮想空間の画像を表示させると共に、前記記憶手段により記憶された、前記３次元仮想空間上における前記アイコンの配置に従って、前記３次元仮想空間の画像上に、前記アイコンを表示させる
ことを特徴とする請求項３に記載の情報処理装置。
【請求項６】
ユーザからの前記３次元仮想空間上の、前記アイコンの配置の指定を受け付ける受付手段をさらに備え、
前記記憶手段は、前記受付手段により受け付けられた前記アイコンの配置を記憶する
ことを特徴とする請求項５に記載の情報処理装置。
【請求項７】
前記記憶手段は、１以上のキーワードを記憶し、
前記制御手段は、前記取得手段により取得された前記更新情報の中に、前記記憶手段により記憶された前記キーワードが多数含まれている前記更新情報から順番に、前記表示手段に表示させる
ことを特徴とする請求項１に記載の情報処理装置。
【請求項８】
前記制御手段は、前記キーワードが多数含まれている前記更新情報から順番に、所定の個数の前記更新情報を選択して、前記表示手段に表示させる
ことを特徴とする請求項７に記載の情報処理装置。
【請求項９】
前記キーワードの入力を受け付ける受付手段をさらに備え、
前記記憶手段は、前記受付手段により入力が受け付けられた前記キーワードを記憶する
ことを特徴とする請求項７に記載の情報処理装置。
【請求項１０】
１以上のアイコンを、ネットワーク上の情報が配置されている位置と対応付けて記憶する記憶ステップと、
前記記憶ステップの処理により記憶された１以上の前記アイコンを表示する表示ステップと、
前記表示ステップの処理により表示された１以上の前記アイコンのそれぞれに対応付けられた前記位置の更新情報を取得する取得ステップと、
前記取得ステップの処理により取得された前記更新情報を表示させる制御ステップと
を含むことを特徴とする情報処理方法。
【請求項１１】
情報処理装置を制御するコンピュータに、
１以上のアイコンの、ネットワーク上の情報が配置されている位置と対応付けた記憶を制御する記憶制御ステップと、
前記記憶制御ステップの処理により記憶が制御された１以上の前記アイコンの表示を制御する第１の表示制御ステップと、
前記第１の表示制御ステップの処理により表示が制御された１以上の前記アイコンのそれぞれに対応付けられた前記位置の更新情報を取得する取得ステップと、
前記取得ステップの処理により取得された前記更新情報の表示を制御する第２の表示制御ステップと
を実行させることを特徴とするプログラム。
【手続補正２】
【補正対象書類名】明細書
【補正対象項目名】０００６
【補正方法】変更
【補正の内容】
【０００６】
【課題を解決するための手段】
本発明の情報処理装置は、１以上のアイコンを、ネットワーク上の情報が配置されている位置と対応付けて記憶する記憶手段と、記憶手段により記憶された１以上のアイコンを表示する表示手段と、表示手段により表示された１以上のアイコンのそれぞれに対応付けられた位置の更新情報を取得する取得手段と、取得手段により取得された更新情報を表示手段に表示させる制御手段とを備えることを特徴とする。
【手続補正３】
【補正対象書類名】明細書
【補正対象項目名】０００７
【補正方法】変更
【補正の内容】
【０００７】
記憶手段には、位置と対応付けられたアイコンと共に、メーラと対応付けられたアイコンを記憶させ、取得手段には、新規に受信された電子メールの有無を示すメール情報を取得させ、制御手段には、更新情報と共に、メール情報を表示手段に表示させるようにすることができる。
【手続補正４】
【補正対象書類名】明細書
【補正対象項目名】０００８
【補正方法】変更
【補正の内容】
【０００８】
アイコンは、３次元画像のアイコンであるようにすることができる。
位置は、Webサイトであるようにすることができる。
【手続補正５】
【補正対象書類名】明細書
【補正対象項目名】００１４
【補正方法】変更
【補正の内容】
【００１４】
本発明の情報処理方法は、１以上のアイコンを、ネットワーク上の情報が配置されている位置と対応付けて記憶する記憶ステップと、記憶ステップの処理により記憶された１以上のアイコンを表示する表示ステップと、表示ステップの処理により表示された１以上のアイコンのそれぞれに対応付けられた位置の更新情報を取得する取得ステップと、取得ステップの処理により取得された更新情報を表示させる制御ステップとを含むことを特徴とする。
【手続補正６】
【補正対象書類名】明細書
【補正対象項目名】００１５
【補正方法】変更
【補正の内容】
【００１５】
本発明のプログラムは、情報処理装置を制御するコンピュータに、１以上のアイコンの、ネットワーク上の情報が配置されている位置と対応付けた記憶を制御する記憶制御ステップと、記憶制御ステップの処理により記憶が制御された１以上のアイコンの表示を制御する第１の表示制御ステップと、第１の表示制御ステップの処理により表示が制御された１以上のアイコンのそれぞれに対応付けられた位置の更新情報を取得する取得ステップと、取得ステップの処理により取得された更新情報の表示を制御する第２の表示制御ステップとを実行させることを特徴とする。
【手続補正７】
【補正対象書類名】明細書
【補正対象項目名】００１６
【補正方法】変更
【補正の内容】
【００１６】
本発明の情報処理装置および方法、並びにプログラムにおいては、１以上のアイコンが、ネットワーク上の情報が配置されている位置と対応付けて記憶され、記憶された１以上のアイコンが表示される。そして、表示された１以上のアイコンのそれぞれに対応付けられた位置の更新情報が取得されたとき、取得された更新情報が表示される。
【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
４点以上の座標値が既知である点を含む対象物の一部が撮影された、画像歪みを有する複数のデジタル画像を読み込むステップと、
前記各画像において、前記点の位置を指示するステップと、
前記対象物の評価範囲全域に適用される座標系における前記指示した点の座標値を入力するステップと、
前記指示された点の位置と前記入力された座標値とに基づいて、前記各画像の画像歪みを補正するステップと、
前記補正された各画像を、前記指示された点に対応する前記補正された画像上の点が前記座標値の位置に来るように配設するステップと、
前記配設された複数の画像を一つの画像に合成するステップとからなることを特徴とする画像処理方法。
【請求項２】
予め、既知の座標値を記録したファイルを作成するステップを更に含み、
前記座標値を入力するステップは、指示された点に対応する点の座標値を前記ファイルから読み込むステップであることを特徴とする請求項１に記載の画像処理方法。
【請求項３】
前記ファイルは、前記対象物の一部が撮影された各画像毎の、
該各画像に含まれる前記座標値が既知である点の座標値を記録した複数のファイルであり、
前記座標値を入力するステップは、前記点が指示された画像に対応するファイルから前記座標値を読み込むステップであることを特徴とする請求項２に記載の画像処理方法。
【請求項４】
前記対象物の一部が撮影された複数の画像は所定の順序で読み込まれると共に前記複数のファイルも所定の順序で読み込まれ、
前記ファイルに関する所定の順序は、前記画像に関する所定の順序に対応する順序であることを特徴とする請求項３に記載の画像処理方法。
【請求項５】
前記対象物の一部が撮影された複数の画像は任意の順序で読み込まれ、
前記ファイルは、前記画像が読み込まれた順序に対応する順序で読み込まれることを特徴とする請求項３に記載の画像処理方法。
【請求項６】
請求項１〜請求項５の何れかに記載の画像処理方法をコンピュータに実行させることを特徴とするプログラム。
【請求項７】
請求項６に記載のプログラムにおいて、
前記各画像において、前記点の位置を指示するステップの終了を示す指示の検出に応じて、
前記指示した点の座標値を入力するステップと、前記各画像の画像歪みを補正するステップと、前記補正され他画像を一つの画像に合成するステップとを連続して行うことを特徴とするプログラム。
【手続補正２】
【補正対象書類名】明細書
【補正対象項目名】０００７
【補正方法】変更
【補正の内容】
【０００７】
【課題を解決するための手段】
前記目的を達成する本発明は、４点以上の座標値が既知である点を含む対象物  
の一部が撮影された、画像歪みを有する複数のデジタル画像を読み込むステップ  
と、前記各画像において、前記点の位置を指示するステップと、前記対象物の評 
価範囲全域に適用される座標系における前記指示した点の座標値を入力するステ  
ップと、前記指示された点の位置と前記入力された座標値とに基づいて、前記各  
画像の画像歪みを補正するステップと、前記補正された各画像を、前記指示され  
た点に対応する前記補正された画像上の点が前記座標値の位置に来るように配設  
するステップと、前記配設された複数の画像を一つの画像に合成するステップと  
からなることを特徴とする画像処理方法である。
【手続補正３】
【補正対象書類名】明細書
【補正対象項目名】０００８
【補正方法】変更
【補正の内容】
【０００８】
指示された基準点とその座標値とに基づいて画像の歪み補正が行われるので多
数枚の画像を連結合成しても前処理誤差が累積することがない。また、前記座標
値に基づいてマッピングが行われるので、作業性が高い。
前記方法は、前記対象物の一部が複数の前記画像に重複して含まれている場合
、前記画像の一方から前記重複した部分の画像を棄却するステップを更に含むこ
とが望ましい。
【手続補正４】
【補正対象書類名】明細書
【補正対象項目名】０００９
【補正方法】変更
【補正の内容】
【０００９】
更に、予め、既知の座標値を記録したファイルを作成するステップを更に含み 
、前記座標値を入力するステップは、指示された点に対応する点の座標値を前記ファイルから読み込むステップでとすることができる。前記ファイルは、対象物の設計時に作成されたファイルとすることができる。前記座標値をキー入力する必要がないので作業が容易である。
【手続補正５】
【補正対象書類名】明細書
【補正対象項目名】００１０
【補正方法】変更
【補正の内容】
【００１０】
前記ファイルは、前記対象物の一部が撮影された各画像毎の、該各画像に含ま
れる前記座標値が既知である点の座標値を記録した複数のファイルであり、前記
座標値を入力するステップは、前記点が指示された画像に対応するファイルから
前記座標値を読み込むステップとすることができ、更に、前記対象物の一部が撮
影された複数の画像は所定の順序で読み込まれると共に前記複数のファイルも所
定の順序で読み込まれ、前記ファイルに関する所定の順序は、前記画像に関する
所定の順序に対応する順序とすることができる。これにより、座標値の入力が容
易となる。
【手続補正６】
【補正対象書類名】明細書
【補正対象項目名】００１１
【補正方法】変更
【補正の内容】
【００１１】
また、前記対象物の一部が撮影された複数の画像は任意の順序で読み込まれ、
前記ファイルは、前記画像が読み込まれた順序に対応する順序で読み込まれるよ
うにすることもできる。
【手続補正７】
【補正対象書類名】明細書
【補正対象項目名】００１２
【補正方法】変更
【補正の内容】
【００１２】
また、別の視点による本発明は上記画像処理方法をコンピュータに実行させる
プログラムである。前記各画像において、前記点の位置を指示するステップの終
了を示す指示の検出に応じて、前記指示した点の座標値を入力するステップと、
前記各画像の画像歪みを補正するステップと、前記補正された画像を一つの画像
に合成するステップとを連続して行うプログラムであることが好ましい。
【手続補正８】
【補正対象書類名】明細書
【補正対象項目名】００３３
【補正方法】変更
【補正の内容】
【００３３】
Ｓ５では、基準点の指示が終了したか否かが判断される。即ち、次の基準点を
指示するか、指示を終了するかを選択させるための選択ボタンが表示される。そ
して、次の基準点を指示する選択ボタンが選択された時はＳ３に戻り、次の基準
点に対するＳ３、Ｓ４の処理が繰り返される。このようにして、例えば図４の３
１〜３４、又は３１、３２、３５、３６等の点が指示され、その座標値が入力さ
れる。なお、前記基準点は少なくとも４点必要なので４点目が指示されるまでは
自動的にＳ３、Ｓ４の処理が繰り返される。指示を終了する選択ボタンが選択さ
れた時はＳ６に進む。
【手続補正９】
【補正対象書類名】図面
【補正対象項目名】図２
【補正方法】変更
【補正の内容】
【図２】
2004021578.tif 000001
【手続補正書】
【提出日】平成17年5月13日(2005.5.13)
【手続補正１】
【補正対象書類名】明細書
【補正対象項目名】請求項１７
【補正方法】変更
【補正の内容】
【請求項１７】
デジタル画像データ以外のデータを記憶する記憶部を持ったデジタルカメラのための、コンピュータを用いたレンタル方法において、
第一のデジタルカメラの記憶部から前記デジタル画像データ以外のデータを吸い上げ、
前記デジタル画像データ以外のデータを第二のデジタルカメラの記憶部に移すことを特徴とするレンタル方法。
【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
各々複数の操作自由度を備えた第１，第２操作部と、
少なくとも文字を特定するための複数の各文字情報を、上記第１操作部の各操作自由度と上記第２操作部の各操作自由度に対してそれぞれ個々に設定する設定部と、
上記第１操作部と第２操作部のうち、何れか一方の操作部での所定操作に応じて決定した文字情報と、他方の操作部での所定操作に応じて決定した文字情報とから、一文字を特定する特定部とを有する
ことを特徴とする文字情報入力装置。
【請求項２】
請求項１記載の文字情報入力装置であって、
上記設定部は、上記第１操作部と第２操作部の少なくとも何れか一方の操作部の各操作自由度に対して設定された各文字情報を、所定の変更指示命令に応じて別の文字情報へ変更する
ことを特徴とする文字情報入力装置。
【請求項３】
請求項２記載の文字情報入力装置であって、
上記設定部は、上記第１操作部と第２操作部のうち、何れか一方の操作部の各操作自由度に対して設定された各文字情報を別の文字情報へ変更したときには、他方の操作部の各文字情報を上記別の文字情報に対応した文字情報へ変更する
ことを特徴とする文字情報入力装置。
【請求項４】
請求項２又は請求項３記載の文字情報入力装置であって、
上記特定部は、上記設定部にて文字情報の変更がなされたとき、その変更前における上記操作部の操作情報を上記変更後にも引き継ぐ
ことを特徴とする文字情報入力装置。
【請求項５】
請求項１から請求項４のうち、何れか一項記載の文字情報入力装置であって、
少なくとも、上記第１操作部での所定操作に応じた文字情報と、上記第２操作部での所定操作に応じた文字情報と、それら文字情報により特定される文字とを、モニタ画面上に表示するための画像信号を生成する画像生成部を有する
ことを特徴とする文字情報入力装置。
【請求項６】
請求項１から請求項５のうち、何れか一項記載の文字情報入力装置であって、
上記第１操作部と第２操作部のうち、何れか一方の操作部での他の所定操作に応じて、上記特定部が特定した上記一文字の種類を変更する変更部を更に有する
ことを特徴とする文字情報入力装置。
【請求項７】
少なくとも文字を特定するための複数の各文字情報を、第１操作部が備える複数の各操作自由度と第２操作部が備える複数の各操作自由度に対してそれぞれ個々に設定し、
上記第１操作部と第２操作部のうち、何れか一方の操作部での所定操作に応じて決定した文字情報と、他方の操作部での所定操作に応じて決定した文字情報とから、一文字を特定する
ことを特徴とする文字情報入力方法。
【請求項８】
少なくとも文字を特定するための複数の各文字情報を、第１操作部が備える複数の各操作自由度と第２操作部が備える複数の各操作自由度に対してそれぞれ個々に設定するステップと、
上記第１操作部と第２操作部のうち、何れか一方の操作部での所定操作に応じて決定した文字情報と、他方の操作部での所定操作に応じて決定した文字情報とから、一文字を特定するステップとを
コンピュータに実行させるための文字情報入力プログラム。
【請求項９】
請求項８記載の文字情報入力プログラムであって、
上記設定のステップでは、上記第１操作部と第２操作部の少なくとも何れか一方の操作部の各操作自由度に対して設定された各文字情報を、所定の変更指示命令に応じて別の文字情報へ変更する
ことを特徴とする文字情報入力プログラム。
【請求項１０】
請求項９記載の文字情報入力プログラムであって、
上記設定のステップでは、上記第１操作部と第２操作部のうち、何れか一方の操作部の各操作自由度に対して設定された各文字情報を別の文字情報へ変更したときには、他方の操作部の各文字情報を上記別の文字情報に対応した文字情報へ変更する
ことを特徴とする文字情報入力プログラム。
【請求項１１】
請求項９又は請求項１０記載の文字情報入力プログラムであって、
上記特定のステップでは、上記設定部にて文字情報の変更がなされたとき、その変更前における上記操作部の操作情報を上記変更後にも引き継ぐ
ことを特徴とする文字情報入力プログラム。
【請求項１２】
請求項８から請求項１１のうち、何れか一項記載の文字情報入力プログラムであって、
少なくとも、上記第１操作部での所定操作に応じた文字情報と、上記第２操作部での所定操作に応じた文字情報と、それら文字情報により特定される文字とを、モニタ画面上に表示するための画像信号を生成するステップを含む
ことを特徴とする文字情報入力プログラム。
【請求項１３】
少なくとも文字を特定するための複数の各文字情報を、第１操作部が備える複数の各操作自由度と第２操作部が備える複数の各操作自由度に対してそれぞれ個々に設定するステップと、
上記第１操作部と第２操作部のうち、何れか一方の操作部での所定操作に応じて決定した文字情報と、他方の操作部での所定操作に応じて決定した文字情報とから、一文字を特定するステップとを
コンピュータに実行させるための文字情報入力プログラムを記録したコンピュータ読み取り可能な記録媒体。
【請求項１４】
少なくとも第１領域と第２領域を備えたウィンドウ画像、及び、少なくとも一文字分を指示可能なカーソル画像とを生成するステップと、
上記カーソル画像上に文字が存在するとき、当該文字を第１の文字情報と第２の文字情報に分離し、その第１の文字情報を上記第１領域に表示させ、第２の文字情報を上記第２領域内に表示させるステップとを
コンピュータに実行させるための文字情報表示プログラム。
【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
複数の画像形成装置と、前記複数の画像形成装置にデータを転送することが可能な第１のプリントサーバおよび第２のプリントサーバとを有するプリントシステムに用いられる前記第１のプリントサーバを制御するためのプリントプログラムであって、
前記第１のプリントサーバが処理しようとするプリントジョブに関するプリント対象のページのデータサイズ、および前記第１のプリントサーバのデータ転送能力に基づいて、当該ページのデータ転送速度を演算する演算手順と、
前記演算手順において演算されたデータ転送速度と所定台数の画像形成装置におけるプリント速度とを比較し、所定台数の画像形成装置ヘデータを転送したときにプリント画像に欠損が生じるか否かを判定する判定手順と、
前記判定手順において画像欠損が生じると判定された場合、データの転送先である画像形成装置の台数を減少させる台数減少手順と、
前記台数減少手順においてデータの転送先である画像形成装置の台数を減少させた場合、前記プリントジョブが終了するまでの時間内に処理可能な別のプリントジョブを前記台数の減少により空いた画像形成装置で実行させるべく、前記第２のプリントサーバを制御する制御手順と、
を前記第１のプリントサーバに実行させるためのプリントプログラム。
【請求項２】
前記制御手順において、前記第１のプリントサーバが保持するプリントジョブの中から前記別のプリントジョブを選択して、前記第２のプリントサーバに送信することを特徴とする請求項１に記載のプリントプログラム。
【請求項３】
前記制御手順において、前記第２のプリントサーバが保持するプリントジョブの中から前記別のプリントジョブを選択するための情報を、前記第２のプリントサーバに送信することを特徴とする請求項１に記載のプリントプログラム。
【請求項４】
前記選択するための情報は、前記プリントジョブが終了するまでの時間と、前記台数の減少により空いた画像形成装置に関する情報とを含むことを特徴とする請求項３に記載のプリントプログラム。
【請求項５】
複数の画像形成装置と、前記複数の画像形成装置にデータを転送することが可能な第１のプリントサーバおよび第２のプリントサーバとを有するプリントシステムに用いられる前記第２のプリントサーバを制御するためのプリントプログラムであって、
前記第１のプリントサーバから、プリントジョブに関するデータの転送先である画像形成装置の台数を減少させた場合の前記プリントジョブが終了するまでの時間と、前記台数の減少により空いた画像形成装置に関する情報とを受信した場合、前記プリントジョブが終了するまでの時間内に処理可能な別のプリントジョブを前記第２のプリントサーバが保持するプリントジョブの中から選択する選択手順と、
前記選択手順において別のプリントジョブが選択された場合、選択された別のプリントジョブに関するデータを、前記台数の減少により空いた画像形成装置のいずれかに送信する送信手順と、
を前記第２のプリントサーバに実行させるためのプリントプログラム。
【請求項６】
複数の画像形成装置と、前記複数の画像形成装置にデータを転送することが可能な第１のプリントサーバおよび第２のプリントサーバとを有するプリントシステムに用いられる前記第１のプリントサーバであって、
前記第１のプリントサーバが処理しようとするプリントジョブに関するプリント対象のページのデータサイズ、および前記第１のプリントサーバのデータ転送能力に基づいて、当該ページのデータ転送速度を演算する演算手段と、
前記演算手段により演算されたデータ転送速度と所定台数の画像形成装置におけるプリント速度とを比較し、所定台数の画像形成装置ヘデータを転送したときにプリント画像に欠損が生じるか否かを判定する判定手段と、
前記判定手段により画像欠損が生じると判定された場合、データの転送先である画像形成装置の台数を減少させる台数減少手段と、
前記台数減少手段によりデータの転送先である画像形成装置の台数が減少させられた場合、前記プリントジョブが終了するまでの時間内に処理可能な別のプリントジョブを前記台数の減少により空いた画像形成装置で実行させるべく、前記第２のプリントサーバを制御する制御手段と、
を有することを特徴とするプリントサーバ。
【請求項７】
複数の画像形成装置と、前記複数の画像形成装置にデータを転送することが可能な第１のプリントサーバおよび第２のプリントサーバとを有するプリントシステムに用いられる前記第２のプリントサーバであって、
前記第１のプリントサーバから、プリントジョブに関するデータの転送先である画像形成装置の台数を減少させた場合の前記プリントジョブが終了するまでの時間と、前記台数の減少により空いた画像形成装置に関する情報とを受信した場合、前記プリントジョブが終了するまでの時間内に処理可能な別のプリントジョブを前記第２のプリントサーバが保持するプリントジョブの中から選択する選択手段と、
前記選択手段において別のプリントジョブが選択された場合、選択された別のプリントジョブに関するデータを、前記台数の減少により空いた画像形成装置のいずれかに送信する送信手段と、
を有することを特徴とするプリントサーバ。
【請求項８】
第１のプリントサーバおよび第２のプリントサーバから複数の画像形成装置にデータを転送することが可能なプリント方法であって、
前記第１のプリントサーバが処理しようとするプリントジョブに関するプリント対象のページのデータサイズ、および前記第１のプリントサーバのデータ転送能力に基づいて、当該ページのデータ転送速度を演算する演算ステップと、
前記演算ステップにおいて演算されたデータ転送速度と所定台数の画像形成装置におけるプリント速度とを比較し、所定台数の画像形成装置ヘデータを転送したときにプリント画像に欠損が生じるか否かを判定する判定ステップと、
前記判定ステップにおいて画像欠損が生じると判定された場合、データの転送先である画像形成装置の台数を減少させる台数減少ステップと、
前記台数減少ステップにおいてデータの転送先である画像形成装置の台数が減少させられた場合、前記プリントジョブが終了するまでの時間内に処理可能な別のプリントジョブを前記台数の減少により空いた画像形成装置で実行させるべく、前記第２のプリントサーバを制御する制御ステップと、
を有することを特徴とするプリント方法。
【請求項９】
請求項１〜５のいずれか１つに記載のプリントプログラムを記録したコンピュータ読み取り可能な記録媒体。
【手続補正書】
【提出日】平成16年6月7日(2004.6.7)
【手続補正１】
【補正対象書類名】明細書
【補正対象項目名】請求項１２
【補正方法】変更
【補正の内容】
【請求項１２】
ネットワーク上に存在する印刷仲介サーバコンピュータを含む他の情報処理装置と通信を行う情報処理装置を制御する制御方法であって、
（ａ）前記印刷仲介サーバコンピュータに当該情報処理装置側で行われた所定の印刷処理に関連した処理を行わせるための要求を、当該情報処理装置が、予め定めたメソッドとして送信する工程と、
（ｂ）該送信時に生じ得る通信の切断や当該情報処理装置側の処理プログラムのハングアップなどの通信の支障が解消されたときに前記印刷仲介サーバコンピュータに送信すべき復旧情報であって、前記メソッドの送信のタイミングに関連づけて予め定めたタイミングで保存される復旧情報を、前記情報処理装置が生成する工程と、
（ｃ）前記支障が解消されたときに、前記復旧情報を自動的に前記印刷仲介サーバコンピュータに送信する工程と、
を備える制御方法。
【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
データを入力するための複数の入力欄を表示し、各入力欄に入力されたデータに基づいて所定のタスクを達成する情報処理装置であって、
前記複数の入力欄のうち、少なくとも１つ以上の入力欄を指示する指示手段と、
前記指示手段により指示された入力欄へデータを入力するための発声例を表示、もしくは音声出力する発声例出力手段と、
当該指示手段により指示された入力欄に対してデータを入力するために外部から入力された音声を、当該入力欄に応じた文法を用いて音声認識する音声認識手段と、
を備えることを特徴とする情報処理装置。
【請求項２】
更に、データを入力する入力欄を示すデータと、当該入力欄に応じた文法を示すデータとを関連づけて保持する保持手段を備えることを特徴とする請求項１に記載の情報処理装置。
【請求項３】
前記発声例のデータを生成する生成手段を更に備え、
当該生成手段は、前記指示手段により指示された入力欄に対応する音声認識文法を用いて、前記発声例のデータを生成することを特徴とする請求項１に記載の情報処理装置。
【請求項４】
前記発声例のデータを生成する生成手段を更に備え、
当該生成手段は、前記指示手段により指示された入力欄に対応する文字データを、前記発声例のデータとすることを特徴とする請求項１に記載の情報処理装置。
【請求項５】
前記発声例出力手段は前記指示手段により指示されてから、一定時間経過した後に発声例を出力することを特徴とする請求項１に記載の情報処理装置。
【請求項６】
データを入力するための複数の入力欄を示すデータと、該入力欄へデータを入力するための入力例とを関連づけて保持する保持手段と、
前記保持手段に保持されたデータを入力するための複数の入力欄を示すデータに基づいて入力欄を表示する表示手段と、
前記表示手段に表示される複数の入力欄のうち、少なくとも１つ以上の入力欄を指示する指示手段と、
前記指示手段により指示された入力欄へデータを入力するための入力例を提示する提示手段と
を備えることを特徴とする情報処理装置。
【請求項７】
データを入力するための複数の入力欄を表示し、各入力欄に入力されたデータに基づいて所定のタスクを達成する情報処理方法であって、
前記複数の入力欄のうち、少なくとも１つ以上の入力欄を指示する指示工程と、
前記指示工程で指示された入力欄へデータを入力するための発声例を表示、もしくは音声出力する発声例出力工程と
前記指示工程で指示された入力欄に対してデータを入力するために外部から入力された音声を、当該入力欄に応じた文法を用いて音声認識する音声認識工程と、
を備えることを特徴とする情報処理方法。
【請求項８】
データを入力するための複数の入力欄を示すデータと該入力欄へデータを入力するための入力例とを関連づけて保持するメモリに保持されたデータを入力するための複数の入力欄を示すデータに基づいて入力欄を表示する表示工程と、
前記表示工程で表示される複数の入力欄のうち、少なくとも１つ以上の入力欄を指示する指示工程と、
前記指示工程で指示された入力欄へデータを入力するための入力例を提示する提示工程と
を備えることを特徴とする情報処理方法。
【請求項９】
コンピュータを請求項１乃至６のいずれか１項に記載の情報処理装置として機能させることを特徴とするプログラム。
【請求項１０】
請求項９に記載のプログラムを格納するコンピュータ読み取り可能な記憶媒体。
【手続補正２】
【補正対象書類名】明細書
【補正対象項目名】０００７
【補正方法】変更
【補正の内容】
【０００７】
すなわち、データを入力するための複数の入力欄を表示し、各入力欄に入力されたデータに基づいて所定のタスクを達成する情報処理装置であって、
前記複数の入力欄のうち、少なくとも１つ以上の入力欄を指示する指示手段と、
前記指示手段により指示された入力欄へデータを入力するための発声例を表示、もしくは音声出力する発声例出力手段と、
当該指示手段により指示された入力欄に対してデータを入力するために外部から入力された音声を、当該入力欄に応じた文法を用いて音声認識する音声認識手段と、
を備えることを特徴とする。
【手続補正３】
【補正対象書類名】明細書
【補正対象項目名】０００９
【補正方法】変更
【補正の内容】
【０００９】
すなわち、データを入力するための複数の入力欄を示すデータと、該入力欄へデータを入力するための入力例とを関連づけて保持する保持手段と、
前記保持手段に保持されたデータを入力するための複数の入力欄を示すデータに基づいて入力欄を表示する表示手段と、
前記表示手段に表示される複数の入力欄のうち、少なくとも１つ以上の入力欄を指示する指示手段と、
前記指示手段により指示された入力欄へデータを入力するための入力例を提示する提示手段と
を備えることを特徴とする。
【手続補正４】
【補正対象書類名】明細書
【補正対象項目名】００１１
【補正方法】変更
【補正の内容】
【００１１】
すなわち、データを入力するための複数の入力欄を表示し、各入力欄に入力されたデータに基づいて所定のタスクを達成する情報処理方法であって、
前記複数の入力欄のうち、少なくとも１つ以上の入力欄を指示する指示工程と、
前記指示工程で指示された入力欄へデータを入力するための発声例を表示、もしくは音声出力する発声例出力工程と
前記指示工程で指示された入力欄に対してデータを入力するために外部から入力された音声を、当該入力欄に応じた文法を用いて音声認識する音声認識工程と、
を備えることを特徴とする。
【手続補正５】
【補正対象書類名】明細書
【補正対象項目名】００１３
【補正方法】変更
【補正の内容】
【００１３】
すなわち、データを入力するための複数の入力欄を示すデータと該入力欄へデータを入力するための入力例とを関連づけて保持するメモリに保持されたデータを入力するための複数の入力欄を示すデータに基づいて入力欄を表示する表示工程と、
前記表示工程で表示される複数の入力欄のうち、少なくとも１つ以上の入力欄を指示する指示工程と、
前記指示工程で指示された入力欄へデータを入力するための入力例を提示する提示工程と
を備えることを特徴とする。
【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
サプライチェーンを構成するフェーズに関し、どのフェーズ担当者にどの物品がどれだけ保有されているかを示す情報を管理する物系フロー管理手段と、
前記物系フロー管理手段を参照して、所定の２つのフェーズ担当者間において移動した物品に関する生産性指標を求め、かかる生産性指標に基づき移動元フェーズ担当者の物品の移動に関する貢献指標を決定する金系フロー管理手段と、を備えることを特徴とするフロー管理システム。
【手続補正書】
【提出日】平成17年1月24日(2005.1.24)
【手続補正１】
【補正対象書類名】明細書
【補正対象項目名】特許請求の範囲
【補正方法】変更
【補正の内容】
【特許請求の範囲】
【請求項１】
主にベース、プレート式基体により構成し、
該ベースは一端に挿入端を形成し、両側の適当な位置にはガイド溝を設置し、
該基体上には少なくとも一セットの接触部品の設置室を形成し、単一規格、或いは複数の異なる規格、サイズのメモリカードを挿置し、並びに該メモリーカードは該接触部品と接触することによりシグナルを順に送り出し、しかも、その設置室両側にはスライド溝を設置し、該スライド溝はスライドレールユニットと該ガイド溝により相互に結合し、これにより、該プレート式基体は該ベース上において自在に移動可能な状態となり、こうして、プレート式メモリカードコネクタ構造を形成することを特徴とするプレート式メモリカードコネクタ。
【請求項２】
前記ベースの挿入端は内部に向かい挿入室を延長し、該挿入室の端面には水平方向のメモリカード接触端子及び挿入孔を設置することを特徴とする請求項１記載のプレート式メモリカードコネクタ。
【請求項３】
前記ベースの適当な位置には押し戻しユニットを設置し、これにより前記基体前記挿入端の外に向かい離脱することを特徴とする請求項１記載のプレート式メモリカードコネクタ。
【請求項４】
前記押し戻しユニットは押し戻し部品及び戻し棒により組成し、該押し戻しユニットは前記ベース１の片側上に設置し、しかも一端にはプッシュ部を形成し、反対端は該戻し棒と相互に可動結合し、該戻し棒は前記メモリカード接触端子上方の適当な位置に可動接続し、一端は該押し戻し部品と可動接続し、反対端はロック端を形成し、前記基体を前記挿入端に向かい外部へと退出させることを特徴とする請求項３記載のプレート式メモリカードコネクタ。
【請求項５】
前記ベース上方には別に蓋体を設置し、該蓋体によりコネクタ全体の構造強度は向上することを特徴とする請求項１記載のプレート式メモリカードコネクタ。
【請求項６】
前記基体の設置室は空間に重ねて使用可能であって、単一、或いは複数の異なる規格、サイズのメモリカードを挿置し、定位する槽室の形態を呈することを特徴とする請求項１記載のプレート式メモリカードコネクタ。
【請求項７】
前記基体は前記ベースの挿入孔の適当な位置に対応し、挿入縁を設置し、該挿入縁及び該挿入孔の結合により、前記ベースと前記基体の結合時、緩みや分離の状況を防ぐことができることを特徴とする請求項１記載のプレート式メモリカードコネクタ。
【請求項８】
前記設置室上に設置する接触部品の構造は、市販の一以上の複数の規格のメモリカードに対応するものであることを特徴とする請求項１記載のプレート式メモリカードコネクタ。